(57)【要約】【課題】操作電磁石と接点部との絶縁距離の拡大にするとともに、磁路を短縮して操作力を増大させる。【解決手段】門形鉄心１のＴ形端面が形成する接極面１５に跨るアーマチュア６の外側に、絶縁物の作動片７を介して接点部を配置し、接点部を作動片７で操作電磁石８から隔てることにより、操作電磁石８と接点部との間の絶縁距離を大きくとる。また、門形鉄心１と短冊形のアーマチュア６とで囲まれる空間を電磁コイル４の巻線スペースのみとし、門形鉄心１の脚部を短くして磁路を短縮するとともに、操作電磁石８の高さを低くして電磁継電器を小型化する。【選択図】      図１
2005222712.tif 000002
【特許請求の範囲】
【請求項１】
両脚部が側方にＬ形に折り曲げられた２枚の門形の磁性板からなり、これらの磁性板は背中合わせに重ねられ前記両脚部のＴ形端面に接極面を形成する鉄心と、
この鉄心の胴部に嵌め込まれたボビンにコイル線が巻かれ、このコイル線の両端は前記ボビンに固着されたコイル端子に接続された電磁コイルと、
前記鉄心の接極面に跨るように配置された短冊形の磁性板からなるアーマチュアと、
このアーマチュアに固着された絶縁物の作動片とを備え、
前記電磁コイルの励磁により前記アーマチュアを前記鉄心に吸着し、このアーマチュアを挟んで前記鉄心と反対側に配置された可動板ばねを前記作動片を介して操作することを特徴とする電磁継電器の操作電磁石。
【発明の詳細な説明】
【技術分野】
【０００１】
この発明は、主としてプリント板に密集して搭載される薄型の電磁継電器に用いられる操作電磁石に関する。
【背景技術】
【０００２】
上記した薄型の電磁継電器として、特許文献１に記載されたものが知られている。図５〜図７は特許文献１に係る電磁継電器の要部を改めて示したものである。図５において、１は磁性板からなる門形の鉄心で、その胴部に嵌め込まれたボビン２にコイル線３が巻かれて電磁コイル５が構成され、コイル線３の両端はボビン２に固着された一対のコイル端子５に接続されている。一方、図６において、６は磁性板からなる逆門形のアーマチュアで、その胴部には絶縁物からなる作動片７が嵌め込まれている。図７は電磁継電器の分解図で、図示のように鉄心１の側面に沿うようにアーマチュア６が配置され、操作電磁石８が構成されている。
【０００３】
図７において、鉄心１は両脚部先端の差込部１ａ（図５）が電磁継電器の絶縁基板９における差込穴１０に圧入されて固定され、アーマチュア６は一端の脚片部６ａが絶縁基板９の受穴１１に挿入されて回動可能に支持される。絶縁基板９には可動板ばね１２と固定板ばね１３とが固着され、それらの対向面には可動接点１２ａと固定接点１３ａとがそれぞれ接合されている。しかして、アーマチュア６が絶縁基板９に支持されると、作動片７が可動板ばね１２に接触し、アーマチュア６は作動片７を介して可動板ばね１２に押され、鉄心１から離れた状態に置かれる。
【０００４】
このような電磁継電器において、電磁コイル４が励磁されるとアーマチュア６が鉄心１の側面に吸着され、その際、脚片部６ａを支点に回動したアーマチュア６は作動片７を介して可動板ばね１２を撓ませる。その結果、可動接点１２ａが固定接点１３ａに接触し電路を閉成させる。また、電磁コイル４が消磁されるとアーマチュア６の吸着が解かれ、可動板ばね１２は弾性復帰して可動接点１２ａが固定接点１３ａから開離するとともに、アーマチュア６は鉄心１から離れた位置に復帰する。
【０００５】
【特許文献１】特開平１−３０２６３１号公報
【発明の開示】
【発明が解決しようとする課題】
【０００６】
近年、電気器具の安全性要求が高まり、部品間の絶縁距離は更に大きくとることが望まれている。これに対して、上記した従来技術における操作電磁石８においては、門形の鉄心１と逆門形のアーマチュア６とで囲まれた空間内に可動・固定板ばね１２，１３が配置されており、そのために操作電磁石８と接点部（可動・固定板ばね１２，１３）との間の絶縁距離を十分にとることが困難である。また、従来の操作電磁石８は鉄心１とアーマチュア６の脚部側面で吸着するため、磁束はロ字形の長い磁路を巡らなければならず、磁路の磁気抵抗が大きくなる。一般に電磁石装置においては、アーマチュアに対する操作力は磁路の長さに反比例する。
【０００７】
この発明の課題は、薄型電磁継電器における操作電磁石と接点部との絶縁距離の拡大を図るとともに、操作電磁石をコンパクト化して磁路を短縮し、操作力を増強することにある。
【課題を解決するための手段】
【０００８】
上記課題を解決するために、この発明の操作電磁石は、脚部が側方にＬ形に折り曲げられた２枚の門形の磁性板からなり、これらの磁性板は背中合わせに重ねられ前記両脚部のＴ形端面に接極面を形成する鉄心と、この鉄心の胴部に嵌め込まれたボビンにコイル線が巻かれ、このコイル線の両端は前記ボビンに固着されたコイル端子に接続された電磁コイルと、前記鉄心の接極面に跨るように配置された短冊形の磁性板からなるアーマチュアと、このアーマチュアに固着された絶縁物の作動片とを備え、前記電磁コイルの励磁により前記アーマチュアを前記鉄心に吸着し、このアーマチュアを挟んで前記鉄心と反対側に配置された可動板ばねを前記作動片を介して操作するものとする。
【０００９】
この発明においては、門形鉄心の接極面に跨るアーマチュアの外側に、絶縁物の作動片を介して接点部（可動・固定板ばね）が配置されるため、接点部が作動片で操作電磁石から隔てられる結果、操作電磁石と接点部との間の絶縁距離が大きくとれる。また、門形鉄心と短冊形アーマチュアとで囲まれる空間は電磁コイルの巻線スペースのみとなり、門形鉄心の脚部が短くなるので磁路が短縮される。
【発明の効果】
【００１０】
この発明によれば、操作電磁石と接点部との間に大きな絶縁距離が確保できるとともに、門形鉄心の脚部が短くなって磁路が短縮され、かつ操作電磁石の高さが低くなって電磁継電器の小型化が図れる。
【発明を実施するための最良の形態】
【００１１】
以下、図１〜図４に基づいて、この発明の実施の形態を説明する。なお、従来例と対応する部分には同一の符号を用いるものとする。ここで、図１は操作電磁石の分解斜視図、図２は図１における鉄心の斜視図、図３は電磁継電器の基板部分の分解斜視図、図４は電磁継電器の斜視図である。まず、図２において、鉄心１は、両脚部１４ａが側方にＬ形に折り曲げられた２枚の門形の磁性板１４からなり、これらの磁性板１４は背中合わせに重ねられ両脚部１４ａのＴ形端面に接極面１５が形成されている。磁性板１４には、後述するように絶縁基板９の一部と嵌合する突部７ｂと切欠１４ｃとが形成されている。
【００１２】
図１に示すように、鉄心１の胴部にはボビン２が図１の下側から嵌め込まれ、このボビン２にコイル線３が巻かれて電磁コイル４が構成され、コイル線３の両端はボビン２に嵌め込みにより固着されたコイル端子５に接続されている。また、図１において、アーマチュア６は短冊形の磁性板からなり、後述するように鉄心１の接極面１５に跨るように配置される。アーマチュア６には、絶縁物からなる作動片７が一体成型の取付脚７ａを介してかしめ付けされている。作動片７は、図１におけるアーマチュア６の右端の支点端部６ｂを除いて、アーマチュア６の鉄心１と反対側の表面及び側面を覆い、下面に後述するように可動板ばねと係合する板状の操作部１４ｄが突出形成されている。
【００１３】
一方、図３において、絶縁基板９は箱型の本体９−１とその側面に装着される板状のカバー９−２とからなっている。カバー９−２は、側方に突出する支持脚９ａ及び９ｂが、基板本体９−１の側面に開口する凹部９ｃ及び９ｄにそれぞれ圧入されることにより、基板本体９−１に装着される。絶縁基板９（９−１，９−２）の両端には、後述するように鉄心１と嵌合する各一対の切欠９ｅ及び突部９ｆが形成されている。更に、基板本体９−１の図３における右端には、アーマチュア６の支点端部６ｂを回動支持する支承部９ｇが形成されている。
【００１４】
図３において、可動板ばね１２は図３の左端の支持端部１２ｂに可動接点端子１６のＬ曲げ端部が接合され、自由端の上面に可動接点１２ａが接合されている。この可動板ばね１２は、基板本体９−１の側面に開口する凹部９ｈに支持端部１２ｂが圧入されることにより固定される。また、固定接点端子１７が一体にＬ曲げ形成された固定板ばね１３は下面に固定接点１３ａが接合され、下部にコ字形に折り返された取付片１３ｂが、基板本体９−１の側面に開口する凹部９ｉに圧入されることにより固定される。この状態で可動接点１２ａと固定接点１３ａとは、所定の隙間を介して対向する。
【００１５】
上記した各部を組み立てるには、鉄心１の磁性板１４に形成された突部１４ｂ及び切欠１４ｃを絶縁基板９の切欠９ｅ及び突部９ｆに嵌合させて、操作電磁石８の鉄心部分（鉄心１及び電磁コイル４）を絶縁基板９に固定する。その際、コイル端子５は、基板本体９−１の側面の溝９ｊ，９ｋに嵌め込む。ここで、上記鉄心部分を固定する際に、基板本体９−１にカバー９−２を装着する前に、可動・固定板ばね１２，１３を基板本体９−１に圧入固定し、次いでアーマチュア６を上記鉄心部分と基板本体９−１との間に挟み込み、支点端部６ｂを支承部９ｇに載せる。また、同時に作動片７の操作部７ｂ（図１）に切られたスリット７ｃを可動板ばね１２に嵌合させ、作動片７と可動板ばね１２とを連結する。これにより、アーマチュア６は可動板ばね１２から弾性力を受け、鉄心１から離れた状態に保持される。
【００１６】
図４は上記したように組み立てられた電磁継電器を示している。この電磁継電器において、電磁コイル４を励磁するとアーマチュア６が鉄心１の接極面１５に吸着され、作動片７を介して可動板ばね１２を持ち上げる。その結果、可動接点１２ａと固定接点１３ａとの間は閉成する。電磁コイル４を消磁すると、可動板ばね１２の復元力により可動接点１２ａは固定接点１３ａから開離し、同時にアーマチュア６は鉄心１から離れた位置に復帰する。
【００１７】
図示実施の形態において、門形鉄心１のＴ形端面が形成する接極面１５に跨るアーマチュア６の外側に、絶縁物の作動片７を介して接点部（可動・固定板ばね１２，１３）が配置されるため、接点部が作動片７で操作電磁石８から隔てられ、操作電磁石８と接点部との間の絶縁距離が大きくとれる。また、門形鉄心１と短冊形のアーマチュア６とで囲まれる空間は電磁コイル４の巻線スペースのみとなり、門形鉄心１の脚部が短くてすむので磁路が短縮されるとともに、操作電磁石８の高さが低くなり、それだけ電磁継電器が小型化される。
【図面の簡単な説明】
【００１８】
【図１】この発明の実施の形態を示す操作電磁石の分解斜視図である。
【図２】図１における鉄心の斜視図である。
【図３】図１の操作電磁石が用いられる電磁継電器の絶縁基板部分の分解斜視図である。
【図４】図１の操作電磁石を用いた電磁継電器の斜視図である。
【図５】従来の操作電磁石における鉄心部分を示す斜視図である。
【図６】従来の操作電磁石におけるアーマチュア部分を示す斜視図である。
【図７】従来の電磁継電器の分解斜視図である。
【符号の説明】
【００１９】
１    鉄心
２    ボビン
４    電磁コイル
６    アーマチュア
７    作動片
８    操作電磁石
９    絶縁基板
１２    可動板ばね
１３    固定板ばね
１５    接極面
【図１】
2005222712.tif 000003
【図２】
2005222712.tif 000004
【図３】
2005222712.tif 000005
【図４】
2005222712.tif 000006
【図５】
2005222712.tif 000007
【図６】
2005222712.tif 000008
【図７】
2005222712.tif 000009